(57)【要約】      （修正有）【課題】複数の印刷ジョブをまとめて実行する場合に、ユーザに対して印刷ジョブを実行するか否かを確認することで、ユーザの意思を反映させたタイミングで印刷ジョブを実行する。【解決手段】印刷装置は、記憶手段と、即時に印刷出力を行わずに待機させるべき予約印刷ジョブを記憶手段に記憶させる管理手段と、所定のタイミングで、記憶手段に記憶されている予約印刷ジョブを実行するか否かを選択するための選択画面を作成し、作成された選択画面を予約印刷ジョブの送信元であるユーザ端末に表示させる表示制御手段と、選択画面への選択結果に基づき記憶手段から予約印刷ジョブを読み出し、その予約印刷ジョブを実行する印刷制御手段と、を備える。【選択図】図５
2012190376.tif 000002
【特許請求の範囲】
【請求項１】
ネットワークを介して入力する印刷ジョブを受け付けて実行する印刷装置であって、
印刷ジョブを受付ける受付手段と、
印刷ジョブを記憶する記憶手段と、
ユーザ端末からの指示に基づき、前記受付手段によって受付けられた印刷ジョブを、即時に印刷出力を行わずに待機させる予約印刷ジョブとして前記記憶手段に記憶させるジョブ管理手段と、
所定のタイミングで、前記記憶手段に記憶されている予約印刷ジョブを実行するか否かを選択するための選択画面を作成し、作成された選択画面を前記予約印刷ジョブの送信元であるユーザ端末に表示させる表示制御手段と、
前記選択画面への選択結果に基づき前記記憶手段から予約印刷ジョブを読み出し、その予約印刷ジョブを実行する印刷制御手段と、
を備えることを特徴とする印刷装置。
【請求項２】
通電状態が消費電力を節約するためのスリープ状態であるか、又はスリープ状態以外の通常通電状態であるかを検知する通電状態検知手段を更に備え、
前記表示制御手段は、前記通電状態検知手段によって通電状態がスリープ状態から通常通電状態に復帰したことが検知されることを条件として、前記選択画面を作成することを特徴とする請求項１に記載の印刷装置。
【請求項３】
前記表示制御手段は、前記選択画面への選択結果が、予め設定された所定時間内に行なわれない場合には、前記選択画面の表示を終了することを特徴とする請求項１又は２に記載の印刷装置。
【請求項４】
前記表示制御手段は、前記選択画面をユーザ端末に表示させている間に、前記通電状態検知手段によって通電状態が通常通電状態からスリープ状態に移行したことが検知されたことを条件として、前記選択画面の表示を終了することを特徴とする請求項２又は３に記載の印刷装置。
【請求項５】
印刷ジョブを記憶する記憶装置を有し、ネットワークを介して入力する印刷ジョブを受け付けて実行する印刷装置によって実行される印刷方法であって、
印刷ジョブを受け付ける受付ステップと、
ユーザ端末からの指示に基づき、前記受付ステップによって受付けられた印刷ジョブを、即時に印刷出力を行わずに待機させる予約印刷ジョブとして前記記憶装置に記憶させる管理ステップと、
所定のタイミングで、前記記憶装置に記憶されている予約印刷ジョブを実行するか否かを選択するための選択画面を作成し、作成された選択画面を前記予約印刷ジョブの送信元であるユーザ端末に表示させる表示制御ステップと、
前記選択画面への選択結果に基づき前記記憶装置から予約印刷ジョブを読み出し、その予約印刷ジョブを実行する印刷制御ステップと、
を有することを特徴とする印刷方法。
【請求項６】
印刷ジョブを記憶する記憶装置を有し、ネットワークを介して入力する印刷ジョブを受け付けて実行する印刷装置によって実行されるプログラムであって、前記印刷装置を、
印刷ジョブを受け付ける受付手段、
ユーザ端末からの指示に基づき、前記受付手段によって受付けられた印刷ジョブを、即時に印刷出力を行わずに待機させる予約印刷ジョブとして前記記憶装置に記憶させる管理手段、
所定のタイミングで、前記記憶装置に記憶されている予約印刷ジョブを実行するか否かを選択するための選択画面を作成し、作成された選択画面を前記予約印刷ジョブの送信元であるユーザ端末に表示させる表示制御手段、
前記選択画面への選択結果に基づき前記記憶装置から予約印刷ジョブを読み出し、その予約印刷ジョブを実行する印刷制御手段、
として機能させることを特徴とするプログラム。
【請求項７】
ネットワークを介して印刷ジョブを印刷装置に出力する情報処理装置であって、
情報を表示する表示手段と、
印刷ジョブを記憶する記憶手段と、
ユーザによる指示操作を受付ける操作入力手段と、
前記操作入力手段によって受付けられた指示操作に基づいて、即時に印刷出力を行わずに待機させるべき印刷ジョブを予約印刷ジョブとして生成し前記記憶装置に記憶させるジョブ生成手段と、
所定のタイミングで、前記記憶装置に記憶されている予約印刷ジョブを実行するか否かを選択するための選択画面を作成して前記表示手段に表示させる表示制御手段と、
前記選択画面への選択結果に基づき前記記憶手段から予約印刷ジョブを読み出し、その予約印刷ジョブを前記印刷装置に出力する印刷制御手段と、
を備えることを特徴とする情報処理装置。
【請求項８】
前記印刷装置の通電状態が消費電力を節約するためのスリープ状態であるか、又はスリープ状態以外の通常通電状態であるかを確認する通電状態確認手段を更に備え、
前記表示制御手段は、前記通電状態確認手段によって前記印刷装置がスリープ状態から通常通電状態に復帰したことが確認されたことを条件として、前記選択画面を作成することを特徴とする請求項７に記載の情報処理装置。
【請求項９】
前記表示制御手段は、前記選択画面への選択結果が、予め設定された所定時間内に行なわれない場合には、前記選択画面の表示を終了することを特徴とする請求７又は８に記載の情報処理装置。
【請求項１０】
前記表示制御手段は、前記選択画面を前記表示手段に表示させている間に、前記通電状態確認手段によって前記印刷装置の通電状態が通常通電状態からスリープ状態になったことが確認されたことを条件として、前記選択画面の表示を終了することを特徴とする請求項８又は９の何れかに記載の情報処理装置。
【請求項１１】
印刷ジョブを記憶する記憶装置と、情報を表示する表示手段とを有し、ネットワークを介して印刷ジョブを印刷装置に出力するユーザ端末によって実行される印刷方法であって、
ユーザによる指示操作を受付ける操作入力ステップと、
前記操作入力ステップによって受付けられた指示操作に基づいて、即時に印刷出力を行わずに待機させるべき印刷ジョブを予約印刷ジョブとして生成し前記記憶装置に記憶させるジョブ生成ステップと、
所定のタイミングで、前記記憶装置に記憶されている予約印刷ジョブを実行するか否かを選択するための選択画面を作成して、前記表示手段に表示させる表示制御ステップと、
前記選択画面への選択結果に基づき前記記憶装置から予約印刷ジョブを読み出し、その予約印刷ジョブを前記印刷装置に出力する印刷制御ステップと、
を有することを特徴とする印刷方法。
【請求項１２】
印刷ジョブを記憶する記憶装置と、情報を表示する表示手段とを有し、ネットワークを介して印刷ジョブを印刷装置に出力するユーザ端末によって実行されるプログラムであって、前記ユーザ端末を、
ユーザによる指示操作を受付ける操作入力手段、
前記操作入力手段によって受付けられた指示操作に基づいて、即時に印刷出力を行わずに待機させるべき印刷ジョブを予約印刷ジョブとして生成して前記記憶装置に記憶させる生成手段、
所定のタイミングで、前記記憶装置に記憶されている予約印刷ジョブを実行するか否かを選択するための選択画面を作成し、その選択画面を前記表示手段に表示させる表示制御手段、
前記選択画面への選択結果に基づき前記記憶装置から予約印刷ジョブを読み出し、その予約印刷ジョブを前記印刷装置に出力する印刷制御手段、
として機能させることを特徴とするプログラム。
【発明の詳細な説明】
【技術分野】
【０００１】
本発明は、複数の印刷ジョブをまとめて実行して印刷出力する技術に関する。
【背景技術】
【０００２】
従来、複数の印刷ジョブをまとめて実行して印刷出力する技術がある。例えば、特許文献１には、省エネモード又は通常モードが設定された印刷ジョブを実行することが可能な印刷装置が開示されている。この印刷装置は、省エネモードの印刷ジョブを受付けた場合には、その印刷ジョブを記憶装置に一旦記憶しておく。そして、印刷装置は、通常モードの印刷ジョブを受付けた場合に、その受付けた通常モードの印刷ジョブと、記憶装置に記憶されている省エネモードの印刷ジョブとをまとめて実行するようになっている。
【先行技術文献】
【特許文献】
【０００３】
【特許文献１】特開２００３−３０８１８２号公報
【発明の概要】
【発明が解決しようとする課題】
【０００４】
しかしながら、従来では、省エネモードを設定してしまうと、その印刷ジョブが実行されるタイミングにユーザの意志は反映されなくなってしまう。すなわち、省エネモードの印刷ジョブの実行タイミングは、通常モードの印刷ジョブの実行タイミングに依存するため、省エネモードの印刷ジョブを発行したユーザにとっては、いつ自己の要求した印刷ジョブが実行されるかを把握できない。そのため、省エネモードの印刷ジョブを発行したユーザは、自己の要求した印刷ジョブが印刷出力されても気がつかない場合が多く、印刷物が長時間放置されるケースが起こり得る。印刷物が長時間放置されると、その放置された印刷物が第三者によって見られてしまう可能性があり、セキュリティ上好ましいとは言えない。
【０００５】
本発明は、上記従来の問題点を解決するためになされたものであり、複数の印刷ジョブをまとめて実行する場合に、ユーザに対して印刷ジョブを実行するか否かを確認することで、ユーザの意思を反映させたタイミングで印刷ジョブを実行することができる印刷装置及び印刷方法を提供することを目的としている。
【課題を解決するための手段】
【０００６】
上記目的を達成するため、請求項１に係る発明は、ネットワークを介して入力する印刷ジョブを受け付けて実行する印刷装置であって、印刷ジョブを受付ける受付手段と、印刷ジョブを記憶する記憶手段と、ユーザ端末からの指示に基づき、前記受付手段によって受付けられた印刷ジョブを、即時に印刷出力を行わずに待機させる予約印刷ジョブとして前記記憶手段に記憶させる管理手段と、所定のタイミングで、前記記憶手段に記憶されている予約印刷ジョブを実行するか否かを選択するための選択画面を作成し、作成された選択画面を前記予約印刷ジョブの送信元であるユーザ端末に表示させる表示制御手段と、前記選択画面への選択結果に基づき前記記憶手段から予約印刷ジョブを読み出し、その予約印刷ジョブを実行する印刷制御手段と、を備えることを特徴とする構成である。
【０００７】
このような構成によれば、所定タイミングで予約印刷ジョブを実行するか否かを選択可能になるので、予約印刷ジョブを発行したユーザは、自己の意志を反映させたタイミングで予約印刷ジョブを実行することができる。その結果、予約印刷ジョブを発行したユーザは、そのタイミングに合わせて印刷物を回収することができる。
【０００８】
請求項２に係る発明は、請求項１に記載の印刷装置において、通電状態が消費電力を節約するためのスリープ状態であるか、又はスリープ状態以外の通常通電状態であるかを検知する通電状態検知手段を更に備え、前記表示制御手段は、前記通電状態検知手段によって通電状態がスリープ状態から通常通電状態に復帰したことが検知されることを条件として、前記選択画面を作成することを特徴とする構成である。
【０００９】
このような構成によれば、第三者による即時印刷ジョブの実行などにより、印刷装置の通電状態がスリープ状態から通常通電状態に復帰したときに、選択画面を表示させるようになっている。そのため、印刷装置は、まとめ印刷の本来の目的である、通電状態がスリープ状態のときには予約印刷ジョブを実行しないで、通常通電状態のときにのみ予約印刷ジョブを実行することが可能になる。その結果、印刷装置は、スリープ状態から通常通電状態に復帰することに伴う消費電力を節約することができる。
【００１０】
請求項３に係る発明は、請求項１又は２に記載の印刷装置において、前記表示制御手段は、前記選択画面への選択結果が、予め設定された所定時間内に行なわれない場合には、前記選択画面の表示を終了することを特徴とする構成である。
【００１１】
このような構成によれば、ユーザが席を外しているときなど、ユーザが印刷物を回収できない可能性がある場合には、表示制御手段は、タイムアウトにより選択画面の表示を終了する。その結果、印刷装置は、印刷物が長時間放置されてしまうことや、それに起因して第三者に秘密文書を読まれてしまうことを防止できる。
【００１２】
請求項４に係る発明は、請求項２又は３に記載の印刷装置において、前記表示制御手段は、前記選択画面をユーザ端末に表示させている間に、前記通電状態検知手段によって通電状態が通常通電状態からスリープ状態に移行したことが検知されたことを条件として、前記選択画面の表示を終了することを特徴とする構成である。
【００１３】
このような構成によれば、通電状態がスリープ状態になったときには、選択画面の表示を終了するようになっている。これにより、印刷装置は、スリープ状態から待機状態に復帰させるときに消費する電力を節約することができる。
【００１４】
請求項５に係る発明は、印刷ジョブを記憶する記憶装置を有し、ネットワークを介して入力する印刷ジョブを受け付けて実行する印刷装置によって実行される印刷方法であって、
印刷ジョブを受け付ける受付ステップと、ユーザ端末からの指示に基づき、前記受付ステップによって受付けられた印刷ジョブを、即時に印刷出力を行わずに待機させる予約印刷ジョブとして前記記憶装置に記憶させる管理ステップと、所定のタイミングで、前記記憶装置に記憶されている予約印刷ジョブを実行するか否かを選択するための選択画面を作成し、作成された選択画面を前記予約印刷ジョブの送信元であるユーザ端末に表示させる表示制御ステップと、前記選択画面への選択結果に基づき前記記憶装置から予約印刷ジョブを読み出し、その予約印刷ジョブを実行する印刷制御ステップと、を有することを特徴とすることを特徴とする構成である。
【００１５】
請求項６に係る発明は、印刷ジョブを記憶する記憶装置を有し、ネットワークを介して入力する印刷ジョブを受け付けて実行する印刷装置によって実行されるプログラムであって、前記印刷装置を、印刷ジョブを受け付ける受付手段、ユーザ端末からの指示に基づき、前記受付手段によって受付けられた印刷ジョブを、即時に印刷出力を行わずに待機させる予約印刷ジョブとして前記記憶装置に記憶させる管理手段、所定のタイミングで、前記記憶装置に記憶されている予約印刷ジョブを実行するか否かを選択するための選択画面を作成し、作成された選択画面を前記予約印刷ジョブの送信元であるユーザ端末に表示させる表示制御手段、前記選択画面への選択結果に基づき前記記憶装置から予約印刷ジョブを読み出し、その予約印刷ジョブを実行する印刷制御手段、として機能させることを特徴とする構成である。
【００１６】
請求項７に係る発明は、ネットワークを介して印刷ジョブを印刷装置に出力する情報処理装置であって、情報を表示する表示手段と、印刷ジョブを記憶する記憶手段と、ユーザによる指示操作を受付ける操作入力手段と、前記操作入力手段によって受付けられた指示操作に基づいて、即時に印刷出力を行わずに待機させるべき印刷ジョブを予約印刷ジョブとして生成し前記記憶装置に記憶させるジョブ生成手段と、所定のタイミングで、前記記憶装置に記憶されている予約印刷ジョブを実行するか否かを選択するための選択画面を作成して前記表示手段に表示させる表示制御手段と、前記選択画面への選択結果に基づき前記記憶手段から予約印刷ジョブを読み出し、その予約印刷ジョブを前記印刷装置に出力する印刷制御手段と、を備えることを特徴とする構成である。
【００１７】
このような構成によれば、所定タイミングで予約印刷ジョブを実行するか否かを選択可能になるので、予約印刷ジョブを発行したユーザは、自己の意志を反映させたタイミングで予約印刷ジョブを実行することができる。その結果、予約印刷ジョブを発行したユーザは、そのタイミングに合わせて印刷物を回収することができる。
【００１８】
請求項８に係る発明は、請求項７に記載の情報処理装置において、前記印刷装置の通電状態が消費電力を節約するためのスリープ状態であるか、又はスリープ状態以外の通常通電状態であるかを確認する通電状態確認手段を更に備え、前記表示制御手段は、前記通電状態確認手段によって前記印刷装置がスリープ状態から通常通電状態に復帰したことが確認されたことを条件として、前記選択画面を作成することを特徴とする構成である。
【００１９】
このような構成によれば、第三者による即時印刷ジョブの実行などにより、印刷装置の通電状態がスリープ状態から通常通電状態に復帰したときに、選択画面を表示させるようになっている。そのため、印刷装置は、まとめ印刷の本来の目的である、通電状態がスリープ状態のときには予約印刷ジョブを実行しないで、通常通電状態のときにのみ予約印刷ジョブを実行することが可能になる。その結果、印刷装置は、スリープ状態から通常通電状態に復帰することに伴う消費電力を節約することができる。
【００２０】
請求項９に係る発明は、請求項７又は８に記載の情報処理装置において、前記表示制御手段は、前記選択画面への選択結果が、予め設定された所定時間内に行なわれない場合には、前記選択画面の表示を終了することを特徴とする構成である。
【００２１】
このような構成によれば、ユーザが席を外しているときなど、ユーザが印刷物を回収できない可能性がある場合には、表示制御手段は、タイムアウトにより選択画面の表示を終了する。その結果、印刷装置は、印刷物が長時間放置されてしまうことや、それに起因して第三者に秘密文書を読まれてしまうことを防止できる。
【００２２】
請求項１０に係る発明は、請求項８又は９に記載の情報処理装置において、前記表示制御手段は、前記選択画面を表示手段に表示させている間に、前記通電状態確認手段によって前記印刷装置の通電状態が通常通電状態からスリープ状態になったことが確認されたことを条件として、前記選択画面の表示を終了することを特徴とする構成である。
【００２３】
このような構成によれば、通電状態がスリープ状態になったときには、選択画面の表示を終了するようになっている。これにより、印刷装置は、スリープ状態から待機状態に復帰させるときに消費する電力を節約することができる。
【００２４】
請求項１１に係る発明は、印刷ジョブを記憶する記憶装置と、情報を表示する表示手段とを有し、ネットワークを介して印刷ジョブを印刷装置に出力するユーザ端末によって実行される印刷方法であって、ユーザによる指示操作を受付ける操作入力ステップと、前記操作入力手段によって受付けられた指示操作に基づいて、即時に印刷出力を行わずに待機させるべき印刷ジョブを予約印刷ジョブとして生成し記憶装置に記憶させる生成ステップと、所定のタイミングで、前記記憶装置に記憶されている予約印刷ジョブを実行するか否かを選択するための選択画面を作成して、前記表示手段に表示させる表示制御ステップと、前記選択画面への選択結果に基づき前記記憶装置から予約印刷ジョブを読み出し、その予約印刷ジョブを前記印刷装置に出力する印刷制御ステップと、を有することを特徴とする構成である。
【００２５】
請求項１２に係る発明は、印刷ジョブを記憶する記憶装置と、情報を表示する表示手段とを有し、ネットワークを介して印刷ジョブを印刷装置に出力するユーザ端末によって実行されるプログラムであって、前記ユーザ端末を、ユーザによる指示操作を受付ける操作入力手段、前記操作入力手段によって受付けられた指示操作に基づいて、即時に印刷出力を行わずに待機させるべき印刷ジョブを予約印刷ジョブとして生成し記憶装置に記憶させる生成手段、所定のタイミングで、前記記憶装置に記憶されている予約印刷ジョブを実行するか否かを選択するための選択画面を作成し、その選択画面を前記表示手段に表示させる表示制御手段、前記選択画面への選択結果に基づき前記記憶装置から予約印刷ジョブを読み出し、その予約印刷ジョブを前記印刷装置に出力する印刷制御手段、として機能させることを特徴とする構成である。
【発明の効果】
【００２６】
本発明によれば、複数の印刷ジョブをまとめて実行する場合に、ユーザに対して印刷ジョブを実行するか否かを確認することで、ユーザの意思を反映させたタイミングで印刷ジョブを実行することができる。
【図面の簡単な説明】
【００２７】
【図１】印刷装置を含むシステム構成例を示す図である。
【図２】第１の実施形態における印刷装置のハードウエア構成の一例を示す図である。
【図３】第１実施形態において実行される処理の概略を示した図である。
【図４】第１実施形態において実行される処理の概略を示した図である。
【図５】第１の実施形態における制御部の機能構成例を一例として示す機能ブロック図である。
【図６】案内画面の一例を示す図である。
【図７】選択画面の一例を示す図である。
【図８】第１の実施形態における印刷装置において実行される全体的な処理手順の一例を示すフローチャートである。
【図９】第１の実施形態における印刷装置において実行される印刷ジョブ保留処理の処理手順の一例を示すフローチャートである。
【図１０】第２の実施形態における印刷装置のハードウエア構成の一例を示す図である。
【図１１】第２実施形態において実行される処理の概略を示した図である。
【図１２】第２実施形態において実行される処理の概略を示した図である。
【図１３】第２の実施形態における制御部の機能構成例を一例として示す機能ブロック図である。
【図１４】第２の実施形態におけるユーザ端末において実行される全体的な処理手順の一例を示すフローチャートである。
【図１５】第２の実施形態におけるユーザ端末において実行される印刷ジョブ保留処理の処理手順の一例を示すフローチャートである。
【発明を実施するための形態】
【００２８】
以下、本発明に関する好ましい実施形態について図面を参照しつつ詳細に説明する。尚、以下に説明する実施形態において互いに共通する部材には同一符号を付しており、それらについての重複する説明は省略する。
【００２９】
（第１の実施形態）
図１は、本実施形態における印刷装置１を含むシステム構成の一例を示す図である。印刷装置１は、ネットワーク５を介してユーザ端末６ａ〜６ｃと接続され、それぞれと通信可能になっている。また、印刷装置１は、ユーザによる操作を入力するための操作パネル２と、印刷処理を実行した後、印刷出力された印刷物を排出するための排出口３と、排出された印刷物を保持しておくための排出トレイ４とを有している。印刷装置１は、ユーザ端末６からの印刷ジョブを受付けると印刷処理を実行する。ここで、操作パネル２は、例えば、いわゆるタッチパネルで構成され、情報を表示するための表示パネルと一体的に設けられている。
【００３０】
印刷装置１は、各種表示画面を作成してユーザ端末６に表示させることが可能な構成である。表示画面は、例えば、ユーザ端末６の表示部７にポップアップ表示される。そして、印刷装置１は、表示画面に対して入力された情報に基づき、印刷ジョブを実行するための印刷処理など各種処理を実行することが可能になっている。また、本実施形態では、印刷装置１は、複数の印刷ジョブを一度にまとめて実行して印刷出力する、いわゆるまとめ印刷を実行可能になっている。なお、この印刷装置１は、いわゆる複合機やＦＡＸ装置など、印刷処理を実行する他の装置に組み込まれるものであってもよい。
【００３１】
また、印刷装置１は、この印刷装置１の通電状態を管理する図示しない電源管理部を有している。電源管理部は、一定時間を経過するまで印刷装置１が何れの指示操作も入力しない場合には、印刷装置１の通電状態を、通常通電状態からスリープ状態に移行させるように電源回路を制御する。通常通電状態は、印刷装置１において印刷出力を行なうことができるように各部に対して電力供給を行なう動作モードである。スリープ状態は、一部の回路への電力供給を残して他の回路への電力供給を制限する動作モードである。これにより、印刷装置１は、スリープ状態に移行しているときに電力消費量を節約することが可能になっている。
【００３２】
また、印刷装置１は、ユーザを個別に特定するためのユーザＩＤに基づきユーザのログインを許可することが可能になっている。また、印刷装置１は、ユーザＩＤをユーザ端末６ａ〜６ｃの識別情報に関連づけて記憶する。これにより、印刷装置１は、ユーザによって使用されるユーザ端末６ａ〜６ｃを特定可能になる。
【００３３】
ユーザ端末６は、ネットワーク５を介して印刷装置１と接続されており、印刷装置１と通信可能になっている。また、ユーザ端末６は、ユーザに情報を表示する表示部７と、ユーザからの操作を受付ける操作入力部８とを有している。以下の説明では、ユーザ端末６ａはユーザＡが使用するものとし、同様に、ユーザ端末６ｂはユーザＢが、ユーザ端末６ｃはユーザＣがそれぞれ使用するものとする。
【００３４】
ユーザ端末６には、プリンタドライバがインストールされている。これにより、ユーザ端末６は、印刷ジョブを生成して印刷装置１に対して送信することが可能である。また、ユーザ端末６は、印刷装置１から出力される各種表示画面を表示部７に表示し、その画面に対する入力操作を受付けることができるように構成される。
【００３５】
図２は、印刷装置１のハードウエア構成の一例を示す図である。図例に示すように、印刷装置１は、この印刷装置１の動作を制御する制御部１０と、外部機器と接続するためのネットワークインタフェース１３と、印刷ジョブを実行する印刷処理部１４と、ユーザに各種操作を行わせる操作パネル２と、各種情報を記憶する記憶装置１７と、を有している。
【００３６】
制御部１０は、ＣＰＵ１１とメモリ１２とを備えており、各部の動作を制御するものである。ＣＰＵ１１は、記憶装置１７に記憶されている基本プログラム１８及び印刷実行プログラム１９を読み出して実行する。ここで、基本プログラム１８は、印刷装置１に電源が投入されることに伴って、ＣＰＵ１１によって実行される基本的なプログラムである。印刷実行プログラム１９は、ユーザ端末６にインストールされるプリンタドライバからの各種指令に基づき印刷ジョブを実行するためのプログラムであると共に、制御部１０を後述する各種処理部として機能させるためのプログラムである。すなわち、ＣＰＵ１１は、基本プログラム１８を実行している状態でさらに印刷実行プログラム１９を実行することにより、制御部１０を各種処理部として機能させる。メモリ１２は、ＣＰＵ１１がプログラムを実行することに伴う一時的なデータなどを記憶するものである。
【００３７】
ネットワークインタフェース１３は、印刷装置１をネットワーク５に接続するためのものである。制御部１０は、このネットワークインタフェース１３を介してユーザ端末６と通信可能に接続されている。
【００３８】
印刷処理部１４は、入力する印刷ジョブを実行して印刷出力を行なう処理部である。この印刷処理部１４は、図示しない定着ヒータなどを備えている。この定着ヒータは、通常通電状態で所定の温度を保持するように制御される一方で、スリープ状態では、電力供給が遮断されることで電力消費が抑制されるようになっている。また、印刷処理部１４において印刷ジョブが実行されることによって、印刷出力された印刷物が排出口３から排出され排出トレイ４に保持される。これにより、ユーザによる印刷物の回収が可能になる。
【００３９】
記憶装置１７は、上述した基本プログラム１８及び印刷実行プログラム１９の他に、予約印刷ジョブ２０を記憶するものである。予約印刷ジョブ２０は、即時に印刷出力を行なわずに待機させるべき印刷ジョブである。予約印刷ジョブ２０には、ユーザから印刷出力を要求された文書や画像などの印刷データと、この印刷データを出力させるための印刷指示とが含まれている。
【００４０】
制御部１０の後述する各処理部と、記憶装置１７の少なくとも一部の記憶領域とは、通電状態がスリープ状態になっているときにも起動されており、ユーザ端末６からの各種情報を受付けることや、受付けた情報を記憶装置１７に記憶させたり、又は、記憶装置１７に記憶されている情報を読出したりできるように構成されている。
【００４１】
図３，図４は、印刷装置１によって実行される処理の概略を示したものである。図３では、印刷装置１は、通電状態がスリープ状態になっている。この状態のときに、印刷装置１は、ユーザ端末６ａから印刷ジョブＡを入力すると、ユーザ端末６ａに対し通電状態がスリープ状態であることを報知すると共に、印刷ジョブを直ちに実行するか否かを問い合せる案内画面を表示させるようになっている。印刷装置１は、ユーザ端末６ａから、印刷ジョブＡの実行を保留すべき指示を入力すると、印刷ジョブＡを予約印刷ジョブＡとして記憶装置１７に記憶してスリープ状態を維持する。これにより、印刷装置１は、スリープ状態から通常通電状態に復帰することに伴う電力を節約することができる。
【００４２】
同様に、印刷装置１は、スリープ状態のときに、ユーザ端末６ｂから印刷ジョブＢを入力すると、ユーザ端末６ｂに対し案内画面を表示させる。印刷装置１は、ユーザ端末６ｂから、印刷ジョブＢの実行を保留すべき指示を入力すると、印刷ジョブＢを予約印刷ジョブＢとして記憶装置１７に記憶してスリープ状態を維持する。
【００４３】
また、印刷装置１は、スリープ状態のときに、ユーザ端末６ｃから印刷ジョブＣを入力すると、上記ユーザ端末６ａ，６ｂの場合と同様にユーザ端末６ｃに対し案内画面を表示させる。印刷装置１は、ユーザ端末６ｃから、印刷ジョブＣを直ちに実行すべき指示を入力すると、電源管理部によって通電状態がスリープ状態から通常通電状態に復帰する。
【００４４】
図４に示すように、印刷装置１は、スリープ状態から通常通電状態に復帰すると、ユーザ端末６ｃからの指示に従って印刷ジョブＣを実行して印刷出力する。その一方で、印刷装置１は、ユーザ端末６ａに対し通電状態が通常通電状態に復帰したことを報知すると共に、記憶装置１７に記憶されている予約印刷ジョブＡを実行するか、又は保留するかを選択させる選択画面を作成してユーザ端末６ａに表示する。そして、印刷装置１は、ユーザ端末６ａから予約印刷ジョブＡを実行すべき指示が入力されると、その予約印刷ジョブＡを実行して印刷出力する。
【００４５】
また、印刷装置１は、ユーザ端末６ｂに対して通電状態が通常通電状態に復帰したことを報知すると共に、記憶装置１７に記憶されている予約印刷ジョブＢを実行するか、又は保留するかを選択させる選択画面を作成してユーザ端末６ｂに表示する。そして、印刷装置１は、ユーザ端末６ｂから予約印刷ジョブＢを保留すべき指示が入力されると、その予約印刷ジョブＢの保留を維持する。
【００４６】
これにより、印刷装置１は、予約印刷ジョブを発行したユーザの意志を反映したタイミングで予約印刷ジョブを実行することが可能になる。従って、ユーザは、自己の都合に合わせて予約印刷ジョブを実行するか否かを選択可能になると共に、予約印刷ジョブの実行タイミングを知ることができるので、そのタイミングに合わせて印刷物を回収することが可能になる。以下、上記のような印刷装置１の動作を制御する制御部１０の具体的な構成について説明する。
【００４７】
図５は、制御部１０の機能構成の一例を示すブロック図である。制御部１０は、上述したＣＰＵ１１が印刷実行プログラム１９を実行することにより、受付部２５、ジョブ管理部２６、通電状態検知部２８、印刷制御部２９及び表示制御部３０として機能する。
【００４８】
次に、制御部１０によって実行される処理について説明する。以下においては、説明の便宜上、まず、ユーザ端末６から新規な印刷ジョブを入力したことにより、その印刷ジョブを予約印刷ジョブ２０として記憶装置１７に記憶する処理を説明する。その次に、記憶装置１７に記憶されている予約印刷ジョブ２０を実行する処理を説明する。
【００４９】
制御部１０は、ユーザ端末６から印刷ジョブを入力した場合、まず受付部２５が機能する。受付部２５は、ユーザ端末６から送信される各種情報を入力して受付ける処理部である。受付部２５によって印刷ジョブが受付けられると、次に、ジョブ管理部２６が機能する。
【００５０】
ジョブ管理部２６は、受付部２５から各種情報を受け取ると共に、その情報を解析することで、その情報を各処理部に対して振分けたり各種指示を送信したりする処理部である。ジョブ管理部２６は、印刷ジョブを受付部２５から受け取ると、その印刷ジョブの送信先を決定するための処理を開始する。まず、ジョブ管理部２６は、通電状態を取得するため、通電状態検知部２８に対して通電状態を検知するように指示する。ジョブ管理部２６から通電状態検知部２８に対する指示が送信されると、通電状態検知部２８が機能する。
【００５１】
通電状態検知部２８は、印刷装置１の通電状態がスリープ状態であるか又は通常通電状態であるかを検知する処理部である。例えば、通電状態検知部２８は、上述した電源管理部と通信可能に接続されており電源管理部による電力供給状態を検知できるようになっている。そして、通電状態検知部２８は、ジョブ管理部２６からの指示に従って通電状態を検知して、検知結果をジョブ管理部２６に返信する。また、通電状態検知部２８は、ジョブ管理部２６からの指示がない場合であっても、定期的に通電状態を検知するようになっている。例えば通電状態検知部２８は、１０秒毎に通電状態を検知する。
【００５２】
ジョブ管理部２６は、通電状態検知部２８からの検知結果として通電状態がスリープ状態であることを示す回答を得た場合には、印刷ジョブの送信先を印刷処理部１４として決定する。これにより、印刷処理部１４によって印刷ジョブが実行されることになる。一方、ジョブ管理部２６は、通電状態検知部２８からの検知結果として通電状態がスリープ状態であることを示す回答を得た場合には、更に、印刷ジョブの送信先をユーザの意思に基づき決定するための処理を実行する。
【００５３】
まず、ジョブ管理部２６は、表示制御部３０に対して案内画面を表示させるように指示を送信する。ジョブ管理部２６から表示制御部３０に対して指示が送信されると表示制御部３０が機能する。
【００５４】
表示制御部３０は、各種表示画面を作成してユーザ端末６に表示させる処理部である。表示制御部３０は、ジョブ管理部２６から案内画面を表示させるための指示を受付けると、その指示に従って案内画面を作成し、印刷ジョブの発行元であるユーザ端末６に表示させる。
【００５５】
図６は、表示制御部３０によって作成される案内画面３５を一例として示すものである。図例に示す案内画面３５には、印刷装置１がスリープ状態であることを伝えるためのメッセージと、印刷ジョブの保留を勧めるメッセージとが含まれる。これによりユーザは、印刷装置１の通電状態がスリープ状態であるときに自己が印刷ジョブを発行したことを知ることができる。
【００５６】
また、案内画面３５には、印刷ジョブを実行させるための案内実行ボタン３５ａと、印刷ジョブを保留させるための案内保留ボタン３５ｂとが表示される。ユーザは、案内に反して印刷ジョブを実行させたい場合には、案内実行ボタン３５ａを押下し、一方、案内に従って印刷ジョブを保留させたい場合には、案内保留ボタン３５ｂを押下する。案内実行ボタン３５ａ又は案内保留ボタン３５ｂが押下されると、その決定結果は受付部２５によって受付けられる。
【００５７】
受付部２５によって決定結果が受付けられると、ジョブ管理部２６が機能する。ジョブ管理部２６は、受付部２５を介して決定結果を受け取ると、以下に説明するように印刷ジョブの送信先となる処理部を決定する。すなわち、ジョブ管理部２６は、案内実行ボタン３５ａが押下されたことを示す決定結果を受け取った場合には、印刷処理部１４を送信先として決定する。一方、ジョブ管理部２６は、案内保留ボタン３５ｂが押下されたことを示す決定結果を受け取った場合には、記憶装置１７を送信先として決定する。ジョブ管理部２６は、印刷処理部１４を印刷ジョブの送信先として決定すると、印刷ジョブを印刷制御部２９に対して送信する。また、送信先が決定されると表示制御部３０は、案内画面３５の表示を終了する。
【００５８】
印刷制御部２９は、印刷ジョブや予約印刷ジョブを印刷処理部１４に対して送信する処理部である。印刷制御部２９は、ジョブ管理部２６から印刷ジョブを受け取ると、その印刷ジョブを印刷処理部１４に送信する。また、印刷制御部２９は、印刷処理部１４による印刷ジョブの実行中に、更に印刷ジョブを入力した場合には、その印刷ジョブを印刷待ちジョブとして一旦待機させた後、順次、印刷処理部１４に対して印刷待ちジョブを送信することが可能に構成される。
【００５９】
また、案内実行ボタン３５ａが押下されるとき、印刷装置１は、スリープ状態になっているが、印刷処理部１４が印刷制御部２９から印刷ジョブを受け取ることで、電源管理部によって通電状態がスリープ状態から通常通電状態に復帰するように制御される。これにより、印刷処理部１４は、印刷ジョブを実行可能になる。印刷ジョブが実行されると印刷物が排出口３から排出される。
【００６０】
一方、ジョブ管理部２６は、印刷ジョブの送信先を記憶装置１７として決定すると、その印刷ジョブを予約印刷ジョブ２０として記憶装置１７に記憶する。また、ジョブ管理部２６は、印刷ジョブの発行元であるユーザのユーザＩＤなど所定の識別情報を予約印刷ジョブ２０に関連づけて記憶装置１７に記憶させる。これにより、予約印刷ジョブ２０の発行元であるユーザを特定することが可能である。このようにして、記憶装置１７に予約印刷ジョブ２０が記憶される。
【００６１】
次に、予約印刷ジョブ２０を実行する処理について説明する。制御部１０は、予約印刷ジョブ２０が記憶装置１７に記憶されている状態で、印刷装置１の通電状態がスリープ状態から通常通電状態に復帰したときに、この処理を開始する。以下においては、一例として、記憶装置１７にはユーザＢ，Ｃによる予約印刷ジョブ２０のそれぞれが記憶されている状態で、ユーザＡにより発行される新規な印刷ジョブ（以下「新規印刷ジョブ」と称する）が実行されたことに伴って印刷装置１の通電状態がスリープ状態から通常通電状態に移行した場合を例示する。また、以下においては説明の便宜上、新規印刷ジョブと予約印刷ジョブ２０とを区別する必要がない場合には、単に「印刷ジョブ」と称する。
【００６２】
制御部１０は、通電状態がスリープ状態のときに、ユーザＡの使用するユーザ端末６ａから新規印刷ジョブを入力すると、上記と同様の処理を実行して、そのユーザ端末６ａに対して案内画面３５を表示させる。この案内画面３５に表示された案内実行ボタン３５ａがユーザＡによって押下されると、印刷制御部２９から印刷処理部１４に対して新規印刷ジョブが送信されるので、これに伴い通電状態がスリープ状態から通常通電状態に復帰する。また、ユーザ端末６ａによって発行された新規印刷ジョブは、印刷処理部１４によって実行される。
【００６３】
通電状態検知部２８は、定期的に通電状態を検知し、印刷装置１の通電状態がスリープ状態から通常通電状態に復帰したことを検知すると、検知結果をジョブ管理部２６に通知する。ジョブ管理部２６は、通電状態確認部４８からの検知結果を受け取ると、記憶装置１７を検索して予約印刷ジョブ２０が記憶されているか否かを確認する。ジョブ管理部２６は、予約印刷ジョブ２０が記憶されていることを確認すると、表示制御部３０に対して選択画面を作成するように指示を送信する。
【００６４】
ジョブ管理部２６から表示制御部３０に対する指示が送信されると表示制御部３０が機能する。表示制御部３０は、ジョブ管理部２６からの指示に従って選択画面を作成し、予約印刷ジョブ２０の発行元であるユーザ端末６に表示させる。
【００６５】
図７は、選択画面３６を一例として示す図である。図例に示すように、選択画面３６には、印刷装置１の通電状態が通常通電状態に復帰したことを示すメッセージが表示されると共に、印刷中及び印刷待ちになっている印刷ジョブが一覧で表示されるようになっている。選択画面３６に表示される一覧には、図例では一例として、印刷ジョブの順位、文書名、ページ数、状態、ユーザ名及び印刷終了予定時刻が表示されている。また、選択画面３６には、予約印刷ジョブ２０を実行させるための予約実行ボタン３６ａと、予約印刷ジョブ２０を保留させるための予約保留ボタン３６ｂとが表示される。但し、選択画面３６に表示される内容は、図例に示したものに限られず適宜設計が可能である。例えば、印刷ジョブを取り消すための取消ボタンなどが設けられても良い。
【００６６】
表示制御部３０は、このような選択画面３６を作成するために以下のように処理を実行する。すなわち、表示制御部３０は、ジョブ管理部２６からの指示を入力すると、記憶装置１７に記憶されている予約印刷ジョブ２０を特定して、その予約印刷ジョブの発行元となるユーザ端末６を特定する。また、表示制御部３０は、そのとき実行中の印刷ジョブや印刷待ちの印刷ジョブがある場合にはその印刷ジョブを特定する。
【００６７】
表示制御部３０は、実行中及び印刷待ちの印刷ジョブの受付日時などに基づき順位を特定して、その順位に従って各項目を記録していく。このとき、保留状態である予約印刷ジョブ２０の順位は、最後になるように配置する。また、表示制御部３０は、印刷ジョブの属性などに基づきファイル名、ページ数、ユーザ名を特定して一覧に記録する。また、表示制御部３０は、印刷ジョブが印刷中か、又は印刷待ちであるかを印刷ジョブの実行状態に基づき記録する。そして、表示制御部３０は、現在時刻や予約印刷ジョブ２０のデータ量などに基づき印刷終了時刻を算出して一覧に記録する。
【００６８】
表示制御部３０は、上記にようにして作成した選択画面３６を、予約印刷ジョブ２０を発行したユーザに対応して表示させる。すなわち、本実施形態では、予約印刷ジョブ２０を発行したユーザはＢ，Ｃであるので、表示制御部３０は、ユーザ端末６ｂに対しては、このユーザ端末６ｂを使用するユーザＢが発行元となる予約印刷ジョブ２０を一覧に記録して選択画面３６を表示させる。また、表示制御部３０は、ユーザ端末６ｃに対しては、このユーザ端末６ｃを使用するユーザＣが発行元となる予約印刷ジョブ２０を一覧に記録して選択画面３６を表示させる。
【００６９】
選択画面３６に表示された予約実行ボタン３６ａ又は予約保留ボタン３６ｂが押下されたことによる決定結果は、受付部２５を介してジョブ管理部２６によって受付けられる。複数のユーザ端末６に選択画面３６が表示されている場合には、ジョブ管理部２６は、それぞれのユーザ端末６からの決定結果を受付ける。
【００７０】
ジョブ管理部２６は、予約実行ボタン３６ａが押下されたことを示す決定結果を受付けた場合には、印刷制御部２９に対して予約印刷ジョブ２０を実行すべき指示を送信する。この指示には、予約実行ボタン３６ａを押下したユーザのユーザＩＤなど所定の識別情報が含まれる。印刷制御部２９は、ジョブ管理部２６からの指示に従って、そのユーザに対応する予約印刷ジョブ２０を記憶装置１７から読出して印刷処理部１４に送信する。このようにして、印刷処理部１４によって予約印刷ジョブ２０が実行される。そして印刷出力された印刷物が排出口３から排出される。
【００７１】
また、印刷制御部２９は、予約印刷ジョブ２０を入力したときに、印刷処理部１４によって既に実行中の印刷ジョブがある場合には、その予約印刷ジョブ２０を印刷待ちジョブとして、一旦待機させた後、順次、印刷処理部１４に送信する。このとき、表示制御部３０は、選択画面３６を表示させている間に、印刷ジョブの実行が終了したり、新たな印刷ジョブが印刷待ちに追加されたりした場合には、そのような印刷ジョブの実行状況に対応した表示になるように一覧を更新させる。
【００７２】
ジョブ管理部２６は、受付部２５を介して、予約実行ボタン３６ａ又は予約保留ボタン３６ｂが押下されたことを示す決定結果を受付けた場合には、予約実行ボタン３６ａ又は予約保留ボタン３６ｂが押下された選択画面３６を表示させているユーザ端末６を特定する。そして、ジョブ管理部２６は、表示制御部３０に対して、その選択画面３６の表示を終了するように指示する。表示制御部３０は、ジョブ管理部２６の指示に従って選択画面３６の表示を終了する。
【００７３】
ところで、ユーザが席を外しているときなどに選択画面３６が表示されると、そのユーザは選択画面３６を確認できない。そのため、予約実行ボタン３６ａ又は予約保留ボタン３６ｂが何れも押下されないまま、そのユーザが発行元となる予約印刷ジョブ２０の実行順序が到来してしまうこともある。このような場合、予約実行ボタン３６ａ又は予約保留ボタン３６ｂが押下されるまで、その予約印刷ジョブ２０の実行を待機すると、それに伴い次順以降の印刷ジョブの実行開始時間も遅れるため、そのような処理は好ましくない。一方、実行順序が到来した予約印刷ジョブ２０を強制的に実行してしまうと、ユーザの意図しないうちに印刷物が排出されることで、その印刷物が長時間放置されてしまう可能性があり、そのような処理も好ましくない。
【００７４】
そこで、このような場合、印刷装置１は、以下のように処理を実行する。すなわち、表示制御部３０は、選択画面３６をユーザ端末６に表示させたときから経過する時間を計測する。そして、表示制御部３０は、予め設定された設定時間が経過するまでに、予約実行ボタン３６ａ又は予約保留ボタン３６ｂの何れも押下されなかったユーザ端末６を特定する。そして、表示制御部３０は、そのユーザ端末６に対する選択画面３６の表示を終了する。このようにすることで、次順以降の印刷ジョブの実行をスムーズにさせることができるし、更には、印刷物が長時間放置されてしまうことも防止できる。
【００７５】
また、例えば、ユーザ端末６に選択画面３６が表示されている間に、印刷装置１の通電状態が通常通電状態からスリープ状態に移行する場合もある。このような場合に、予約実行ボタン３６ａが押下されると、印刷装置１は、通電状態を再び通常通電状態に復帰させて予約印刷ジョブ２０を実行することになってしまうので、このような処理は、消費電力の軽減化の観点から好ましくない。
【００７６】
そこで、このような場合、印刷装置１は、以下のように処理を実行する。すなわち、通電状態検知部２８は、通電状態が通常通電状態からスリープ状態に移行したことを検知すると、その検知結果をジョブ管理部２６に通知する。ジョブ管理部２６は、ユーザ端末６に選択画面３６を表示させている間に、その通知を受け取ると、表示制御部３０に対して選択画面３６の表示を終了するように指示する。表示制御部３０は、その指示に従って選択画面３６の表示を終了する。複数のユーザ端末６のそれぞれに選択画面３６が表示されている場合には、表示制御部３０は、全ての選択画面３６の表示を終了する。これにより、通電状態が通常通電状態に復帰されないので消費電力を軽減することが可能になる。また、表示制御部３０は、通電状態検知部２８からの検知結果によらずとも、スリープ状態に移行するまでの時間をカウントダウンし、通電状態がスリープ状態に移行するタイミングに合わせて選択画面３６の表示を終了するようにしても良い。
【００７７】
図８，図９は、上記のように構成される印刷装置１において実行される処理手順を示したフローチャートである。図８は、全体的な処理手順を示しており、また、図９は、印刷ジョブ保留処理の処理手順を示している。
【００７８】
図８に示すように、受付部２５によって印刷ジョブが受付けられると（ステップＳ１のＹＥＳ）、通電状態検知部２８は、ジョブ管理部２６による指示に従って印刷装置１の通電状態を検知する（ステップＳ２）。制御部１０は、通電状態がスリープ状態であった場合には（ステップＳ３のＹＥＳ）、印刷ジョブ保留処理を実行する（ステップＳ４）。一方、通電状態検知部２８によって通電状態が通常通電状態であったことが検知された場合には(ステップＳ３のＮＯ)、印刷制御部２９は、ジョブ管理部２６から印刷ジョブを受け取って、印刷制御部２９に印刷ジョブを実行させる（ステップＳ５）。
【００７９】
次に、図９を参照しつつ印刷ジョブ保留処理について説明する。表示制御部３０は、この処理が開始されると、ジョブ管理部２６からの指示に従って、案内画面３５を作成して、予約印刷ジョブ２０の発行元であるユーザ端末６に表示させる（ステップＳ１１）。
【００８０】
ジョブ管理部２６は、受付部２５を介して案内保留ボタン３５ｂが押下されたことを示す検知結果を受け取った場合には（ステップＳ１２のＹＥＳ）、その印刷ジョブを予約印刷ジョブ２０として記憶装置１７に記憶する（ステップＳ１４）。一方、ジョブ管理部２６は、受付部２５を介して案内実行ボタン３５ａが押下されたことを示す検知結果を受け取った場合には（ステップＳ１３のＹＥＳ）、印刷制御部２９を介して印刷処理部１４に印刷ジョブを実行させる（図５のステップＳ５）。
【００８１】
次に、通電状態検知部２８は、定期的に印刷装置１の通電状態を検知する（ステップＳ１５）。通電状態検知部２８によって通電状態が通常通電状態に復帰したことが検知されると（ステップＳ１６のＹＥＳ）、表示制御部３０は、ジョブ管理部２６による指示に従って、記憶装置１７に記憶されている予約印刷ジョブ２０を特定し（ステップＳ１７）、例えば、図７で示した選択画面３６を作成し予約印刷ジョブ２０の発行元であるユーザ端末６に表示させる(ステップＳ１８)。
【００８２】
ジョブ管理部２６は、受付部２５を介して予約実行ボタン３６ａが押下されたことを示す決定結果を受け取った場合（ステップＳ１９のＹＥＳ）、印刷制御部２９に対して予約印刷ジョブ２０を実行すべき指示を送信する。印刷制御部２９は、ジョブ管理部２６からの指示に従って予約印刷ジョブ２０を記憶装置１７から読出して（ステップＳ２４）、読出した予約印刷ジョブ２０を印刷処理部１４に実行させる（図８のステップＳ５）。
【００８３】
一方、予約実行ボタンが押下されない状態において（ステップＳ１９のＮＯ）、表示制御部３０は、（ａ）予約保留ボタン３６ｂが押下された場合、（ｂ）設定時間が到来した場合のうち何れかの条件を満たすと（ステップＳ２０のＹＥＳ）選択画面３６の表示を終了する（ステップＳ２１）。そして、制御部１０は、一旦、通電状態がスリープ状態に移行した後に、再び、通電状態検知部２８によってスリープ状態から通常通電状態に復帰したことが検知されるまで待機する（ステップＳ１５まで戻る）。
【００８４】
また、表示制御部３０は、選択画面３６が表示されている状態で、通電状態検知部２８によって通電状態がスリープ状態に移行したことが検知されると（ステップＳ２２のＹＥＳ）、ジョブ管理部２６による指示に従って選択画面３６の表示を終了する（ステップＳ２３）。この場合には、制御部１０は、一旦、通電状態がスリープ状態に移行した後に、再び、通電状態検知部２８によってスリープ状態から通常通電状態に復帰したことが検知されるまで待機する（ステップＳ１５まで戻る）。以上のようにして印刷ジョブ保留処理は終了する。
【００８５】
以上のように、本実施形態では、ユーザ端末６に表示させた案内画面３５に表示される案内保留ボタン３５ｂがユーザの選択により押下されることにより、予約印刷ジョブ２０が記憶装置１７に記憶される。そして、表示制御部３０は、選択画面３６を作成して予約印刷ジョブ２０の送信元であるユーザ端末６に表示させる。選択画面３６に表示される予約実行ボタン３６ａが押下されることで、印刷制御部２９は、記憶装置１７から予約印刷ジョブ２０を読み出して実行する構成である。
【００８６】
このような構成によれば、ユーザ端末６には選択画面３６が表示されるので、ユーザは、自己が発行した予約印刷ジョブ２０を実行するか否かを選択可能である。すなわち、予約印刷ジョブ２０を発行したユーザは、自己の意思を反映させて予約印刷ジョブ２０を実行させることができる。その結果、予約印刷ジョブ２０を発行したユーザは、そのタイミングに合わせて印刷物を回収することができる。
【００８７】
また、本実施形態では、通電状態検知部２８によって通電状態がスリープ状態から通常通電状態に復帰したことが検知されることを条件として、選択画面３６が作成されるように構成される。このような構成によれば、印刷装置の通電状態が通常通電状態であるときに予約印刷ジョブ２０を実行させることが可能である。これにより、印刷装置は、まとめ印刷の本来の目的である、通電状態がスリープ状態のときには予約印刷ジョブ２０を実行しない一方で、通常通電状態のときにのみ予約印刷ジョブ２０を実行することが可能である。
【００８８】
更に、本実施形態では、選択画面３６への決定結果が、予め設定された所定時間内に行なわれない場合には、表示制御部３０によって選択画面３６の表示が終了される構成である。これにより、例えば、ユーザが席を外しているときなど、ユーザが印刷物を回収できない可能性がある場合には、タイムアウトにより予約印刷ジョブ２０を実行させないことが可能である。その結果、印刷装置１は、次順以降に印刷待ちの印刷ジョブが待機している場合には、それら次順以降の印刷ジョブをスムーズに実行させることができる。更に、印刷装置１は、印刷物が長時間放置されてしまうことを防止できると共に、それに起因して第三者に秘密文書を読まれてしまうことを防止できる。
【００８９】
また、本実施形態では、選択画面３６がユーザ端末６に表示されている間に、印刷装置１の通電状態が通常通電状態からスリープ状態に移行した場合には、表示制御部３０は、選択画面３６を終了するようになっている。このような構成によれば、通電状態がスリープ状態になったときに予約実行ボタン３６ａを押下させないことが可能になるので、スリープ状態を維持することができる。従って、印刷装置は、スリープ状態から待機状態に復帰させるときに伴う電力を節約することができる。
【００９０】
（第２の実施形態）
上記第１の実施形態では、記憶装置は印刷装置１に設けられている。これに対して本実施形態では、記憶装置はユーザ端末６に設けられており、予約印刷ジョブは、ユーザ端末６の記憶装置に記憶されるようになっている。このような構成は、印刷装置１に予約印刷ジョブを記憶するための記憶領域が十分にない場合などに有効である。以下においては、本実施形態に関する構成について詳細に説明し、第１の実施形態と重複する構成については説明を省略する。
【００９１】
図１０は、ユーザ端末６のハードウエア構成の一例を示す図である。図例に示すように、ユーザ端末６は、このユーザ端末６の動作を制御する制御部５５と、印刷装置１などの外部機器と接続するためのネットワークインタフェース５８と、ユーザに情報を表示する表示部７と、ユーザに所定の操作を行わせる操作入力部８と、各種情報を記憶する記憶装置５９と、を有している。
【００９２】
制御部５５は、ＣＰＵ５６とメモリ５７とを備えており、各部の動作を制御するものである。ＣＰＵ５６は、記憶装置５９に記憶されている基本プログラム６０および印刷実行プログラム６１を読み出して実行する。ここで、基本プログラム６０は、ユーザ端末６に電源が投入されることに伴って、ＣＰＵ５６によって実行される基本的なプログラムである。また印刷実行プログラム６１は、例えば、プリンタドライバに含まれ、ユーザ端末６が印刷装置１に対して印刷ジョブを実行させるための情報処理装置として機能するためのプログラムである。ＣＰＵ５６は、基本プログラム６０を実行している状態でさらに印刷実行プログラム６１を実行することにより、制御部５５を後述する各種処理部として機能させる。メモリ５７は、ＣＰＵ５６がプログラムを実行することに伴う一時的なデータなどを記憶するものである。
【００９３】
ネットワークインタフェース５８は、ユーザ端末６をネットワーク５に接続するためのものである。制御部５５は、このネットワークインタフェース５８を介して印刷装置１とのデータ通信を行うようになっている。
【００９４】
記憶装置５９は、上述した基本プログラム６０及び印刷実行プログラム６１の他に、予約印刷ジョブ６２を記憶する。
【００９５】
印刷装置１は、一定時間を経過するまで印刷装置１が何れの指示操作も受付けない場合には、一部の回路への電力供給を残して他の回路への電力供給を制限するスリープ状態に移行するように、電源管理部によって電源回路が制御されるように構成される。そして、印刷装置１は、スリープ状態中にユーザ端末６又は操作パネル２からの各種指示操作を入力することによってスリープ状態から通常通電状態に復帰する構成になっている。
【００９６】
図１１，図１２は、ユーザ端末６によって実行される処理の概略を示したものである。図１１では、印刷装置１は、通電状態がスリープ状態になっている。ユーザ端末６ａは、ユーザＡから印刷ジョブＡを実行すべき指示操作を入力すると、印刷装置１の通電状態を確認する。ユーザ端末６ａは、印刷装置１の通電状態がスリープ状態であることを取得すると、ユーザＡに対して印刷ジョブＡを直ちに実行するか否かを問い合せる案内画面を表示部７ａに表示する。ユーザ端末６ａは、ユーザＡから印刷ジョブＡの実行を保留すべき指示を入力すると、印刷ジョブＡを予約印刷ジョブＡとして記憶装置５９ａに記憶する。これにより、ユーザ端末６ａは、印刷装置１に対して印刷ジョブＡを送信しないので印刷装置１をスリープ状態で維持させることが可能である。
【００９７】
同様に、ユーザ端末６ｂは、印刷装置１がスリープ状態のときに、ユーザＢから印刷ジョブＢを実行すべき指示操作を入力すると、印刷装置１の通電状態を確認した後に案内画面を表示部７ｂに表示する。ユーザ端末６ｂは、ユーザＢから、印刷ジョブＢの実行を保留すべき指示を入力すると、印刷ジョブＢを予約印刷ジョブＢとして記憶装置５９ｂに記憶する。
【００９８】
また、ユーザ端末６ｃは、印刷装置１がスリープ状態のときに、ユーザＣから印刷ジョブＣを実行すべき指示操作を入力すると、印刷装置１の通電状態を確認した後に案内画面を表示部７ｃに表示する。ユーザ端末６ｃは、ユーザＣから、印刷ジョブＣを直ちに実行すべき指示を入力すると、印刷ジョブＣを印刷装置１に送信する。これにより、印刷装置１は、スリープ状態から通常通電状態に復帰する。
【００９９】
図１２に示すように、印刷装置１は、ユーザ端末６ｃから印刷ジョブＣを入力すると、スリープ状態から通常通電状態に復帰する。そして、印刷装置１は、印刷ジョブＣを実行して印刷出力する。その一方で、ユーザ端末６ａは、定期的に印刷装置１の通電状態を確認する。ユーザ端末６ａは、印刷装置１の通電状態が通常通電状態に復帰したことを取得すると、ユーザＡに対し通電状態が通常通電状態に復帰したことを報知すると共に、記憶装置５９ａに記憶されている予約印刷ジョブＡを実行するか、又は保留するかを選択させる選択画面を作成して表示部７ａに表示する。そして、ユーザ端末６ａは、ユーザＡから予約印刷ジョブＡを実行すべき指示を入力すると、その予約印刷ジョブＡを記憶装置５９ａから読出して印刷装置１に対して送信する。これにより、印刷装置１は、予約印刷ジョブＡを実行して印刷出力する
【０１００】
ユーザ端末６ｂは、ユーザ端末６ａと同様に、定期的に印刷装置１の通電状態を確認し、印刷装置１の通電状態が通常通電状態に復帰したことを取得すると、選択画面を表示部７ｂに表示する。ユーザ端末６ｂは、ユーザＢから予約印刷ジョブＢを保留すべき指示を入力すると、その指示に従って予約印刷ジョブＢの保留を維持する。
【０１０１】
これにより、ユーザ端末６は、予約印刷ジョブを発行したユーザの意志を反映したタイミングで予約印刷ジョブを実行することが可能になる。従って、ユーザは、自己の都合に合わせて予約印刷ジョブを実行するか否かを選択可能になると共に、予約印刷ジョブの実行タイミングを知ることができるので、そのタイミングに合わせて印刷物を回収することが可能になる。以下、上記のようなユーザ端末６の動作を制御する制御部５５の具体的な構成について説明する。
【０１０２】
図１３は、本実施形態における制御部５５の機能構成を一例として示すブロック図である。制御部５５は、上述したＣＰＵ５６が印刷実行プログラム６１を実行することにより、指示解析部４６、ジョブ管理部４７、通電状態確認部４８、表示制御部４９及び印刷制御部５０として機能する。また、ジョブ管理部４７は、ジョブ生成部５１を含んでいる。
【０１０３】
次に、上記のように構成される制御部５５によって実行される処理について説明する。以下においては、説明の便宜上、まず、ユーザ端末６において、ユーザによる操作入力部８への操作に基づき新規な印刷ジョブを生成することにより、その印刷ジョブを予約印刷ジョブ６２として記憶装置５９に記憶する処理を説明する。その次に、記憶装置５９に記憶されている予約印刷ジョブ６２を印刷装置１に対して送信する処理を説明する。
【０１０４】
制御部５５は、操作入力部８に対して指示操作が入力されると、まず指示解析部４６が機能する。指示解析部４６は、操作入力部８に対して入力される各種情報を解析し、解析した情報を解析結果と共にジョブ管理部４７に送信する処理部である。
【０１０５】
ジョブ管理部４７は、指示解析部４６からの情報を解析結果と共に受け取って、その情報を各処理部に対して振分けたり各種指示を送信したりする処理部である。ジョブ管理部４７は、指示解析部４６を介して印刷指示を受付けると、まず印刷ジョブの送信先を決定するための処理を開始する。ジョブ管理部４７は、印刷装置１の通電状態を取得するため、通電状態確認部４８に対して通電状態を確認するように指示する。ジョブ管理部４７から通電状態確認部４８に指示が送信されると、通電状態確認部４８が機能する。
【０１０６】
通電状態確認部４８は、印刷装置１の通電状態がスリープ状態であるか又は通常通電状態であるかを確認する処理部である。例えば、通電状態確認部４８は、印刷装置１の電源管理部と通信可能に接続されており電源管理部による電源回路への電源供給状態を確認できるようになっている。そして、通電状態確認部４８は、ジョブ管理部４７からの指示に従って印刷装置１の通電状態を確認して、確認結果をジョブ管理部４７に返信する。また、通電状態確認部４８は、ジョブ管理部４７からの指示を受付けない場合であっても、定期的に印刷装置１の通電状態を確認するように構成される。例えば通電状態確認部４８は、１０秒毎に通電状態を確認する。
【０１０７】
ジョブ管理部４７は、通電状態確認部４８からの確認結果として印刷装置１の通電状態がスリープ状態であることを示す回答を得た場合には、印刷ジョブの送信先を印刷装置１として決定する。一方、ジョブ管理部４７は、通電状態確認部４８からの確認結果として印刷装置１の通電状態がスリープ状態であることを示す回答を得た場合には、更に、ユーザの意思に基づき印刷ジョブの送信先を決定するための処理を実行する。
【０１０８】
ジョブ管理部４７は、ユーザからの選択結果を取得するために、表示制御部４９に対して案内画面を表示させるように指示を送信する。ジョブ管理部４７から表示制御部４９に対する指示が送信されると表示制御部４９が機能する。
【０１０９】
表示制御部４９は、各種表示画面を作成して表示部７に表示させる処理部である。表示制御部４９は、ジョブ管理部４７からの指示に従って案内画面を作成して、その案内画面を表示部７に表示させる。この場合に表示される案内画面は、例えば図６で示した案内画面３５である。
【０１１０】
案内画面３５に表示された案内実行ボタン３５ａ又は案内保留ボタン３５ｂが押下されると、その決定結果は指示解析部４６によって受付けられる。ジョブ管理部４７は、指示解析部４６から決定結果を受け取ると印刷ジョブの送信先を決定する。すなわち、ジョブ管理部４７は、案内実行ボタン３５ａが押下されたことを示す決定結果を受け取った場合には、印刷装置１を送信先として決定する。一方、ジョブ管理部４７は、案内保留ボタン３５ｂが押下されたことを示す決定結果を受け取った場合には、記憶装置１７を送信先として決定する。送信先が決定されると表示制御部４９は、案内画面３５の表示を終了する。
【０１１１】
また、ジョブ管理部４７によって送信先が決定されると、次にジョブ生成部５１が機能する。ジョブ生成部５１は、ジョブ管理部４７によって送信先が決定されると印刷ジョブを生成する処理部である。ジョブ管理部４７は、ジョブ生成部５１によって生成された印刷ジョブを決定結果に従って送信する。すなわち、ジョブ管理部４７は、印刷装置１を送信先として決定した場合には、生成した印刷ジョブを印刷制御部５０に対して送信する。一方、ジョブ管理部４７は、記憶装置５９を送信先として決定した場合には、生成した印刷ジョブを予約印刷ジョブ６２として記憶装置５９に記憶させる。このようにして、記憶装置５９に予約印刷ジョブ６２が記憶される。
【０１１２】
印刷制御部５０は、印刷ジョブ又は予約印刷ジョブ６２を印刷装置１に送信する処理部である。印刷制御部５０は、ジョブ管理部４７から印刷ジョブを入力すると、その印刷ジョブを印刷装置１に対して送信する。これにより、印刷装置１によって印刷ジョブが実行されることで、印刷物が排出口３から排出される。
【０１１３】
次に、予約印刷ジョブ６２を実行する処理について説明する。制御部５５は、予約印刷ジョブ６２が記憶装置５９に記憶されている状態で、通電状態確認部４８によって印刷装置１の通電状態がスリープ状態から通常通電状態に復帰したことが確認されたときに、この処理を開始する。以下においては、ユーザＣによって使用されるユーザ端末６ｃを例に挙げて説明する。この例では、ユーザ端末６ｃの記憶装置５９には予約印刷ジョブ６２が記憶されている。また、以下の説明では、ユーザＡによる新規印刷ジョブが実行されたことに伴って印刷装置１の通電状態がスリープ状態から通常通電状態に復帰した場合を例示する。
【０１１４】
通電状態確認部４８は、一定の間隔で印刷装置１の通電状態を確認する。そして、通電状態確認部４８は、印刷装置１の通電状態がスリープ状態から通常通電状態に復帰したことを確認すると、その確認結果をジョブ管理部４７に通知する。ジョブ管理部４７は、記憶装置５９を検索して予約印刷ジョブ６２が記憶装置５９に記憶されているか否かを確認する。ジョブ管理部４７は、予約印刷ジョブ６２が記憶されていることを確認すると、表示制御部４９に対して選択画面を作成するように指示を送信する。
【０１１５】
ジョブ管理部４７から表示制御部４９に対する指示が送信されると表示制御部４９が機能する。表示制御部４９は、ジョブ管理部４７からの指示に従って、例えば、図７に示したような選択画面３６を作成して表示部７に表示させる。表示制御部４９は、選択画面３６を作成するために、以下の処理を実行する。
【０１１６】
まず、ジョブ管理部４７は、通電状態確認部４８からの確認結果を受け取ると、印刷装置１に対して印刷実行状況を問い合わせる。そして、印刷装置１から実行中の印刷ジョブや印刷待ちとなっている印刷ジョブに関するジョブ情報を取得する。そして、ジョブ管理部４７は、取得したジョブ情報と、選択画面を作成すべき指示とを表示制御部４９に対して送信する。表示制御部４９は、まず、ジョブ管理部４７から受け取った指示に基づき記憶装置５９に記憶されている予約印刷ジョブ６２を特定する。更に表示制御部４９は、特定した予約印刷ジョブ６２と、受け取ったジョブ情報とに基づき一覧を作成して選択画面３６を作成する。また、ジョブ管理部４７は、予約実行ボタン３６ａ又は予約保留ボタン３６ｂが何れも押下されないときには、定期的に印刷装置１からジョブ情報を受け取るようにしても良い。そして、表示制御部４９は、新たなジョブ情報に基づき一覧を更新するようにしてもよい。
【０１１７】
選択画面３６に表示された予約実行ボタン３６ａ又は予約保留ボタン３６ｂが押下されると、ジョブ管理部４７は、指示解析部４６を介して、その決定結果を受付ける。ジョブ管理部４７は、予約実行ボタン３６ａが押下されたことを示す決定結果を受付けると、印刷制御部５０に対して予約印刷ジョブ２０を実行すべき指示を送信する。印刷制御部５０は、ジョブ管理部４７からの指示に従って予約印刷ジョブ６２を記憶装置５９から読出して印刷装置１に対して送信する。これにより、印刷装置１によって予約印刷ジョブ６２が実行される。
【０１１８】
また、ジョブ管理部４７は、指示解析部４６を介して、予約実行ボタン３６ａ又は予約保留ボタン３６ｂが押下されことを示す決定結果を受付けると、表示制御部４９に対して選択画面３６の表示を終了するように指示する。表示制御部４９は、その指示に従って選択画面３６の表示を終了する。
【０１１９】
また、表示制御部４９は、選択画面３６を表示部７に表示させたときから経過する時間を計測する。そして、表示制御部４９は、予め設定された設定時間が経過するまでに、選択画面３６の表示を終了すべき指示を入力しない場合には、設定時間の到来と共に選択画面３６の表示を終了する。
【０１２０】
また、通電状態確認部４８は、印刷装置１の通電状態が通常通電状態からスリープ状態に移行したことを確認すると、その確認結果をジョブ管理部４７に通知する。ジョブ管理部４７は、選択画面３６を表示させている間に、通電状態確認部４８からの確認結果を入力すると選択画面３６を終了すべき指示を表示制御部４９に対して送信する。表示制御部４９は、この指示を入力すると選択画面３６の表示を終了する。
【０１２１】
図１４，図１５は、上記のように構成されるユーザ端末６において実行される処理手順を示したフローチャートである。図１４は、全体的な処理手順を示すフローチャートであり、また、図１５は、印刷ジョブ保留処理の処理手順を示すフローチャートである。
【０１２２】
図１４に示すように、指示解析部４６によって印刷指示が受付けられると（ステップＳ３１のＹＥＳ）、通電状態確認部４８は、ジョブ管理部４７による指示に従って印刷装置１の通電状態を確認する（ステップＳ３２）。制御部５５は、印刷装置１の通電状態がスリープ状態であった場合には（ステップＳ３３のＹＥＳ）、印刷ジョブ保留処理を実行する（ステップＳ３４）。一方、ジョブ生成部５１は、通電状態確認部４８によって印刷装置１の通電状態が通常通電状態であることが確認された場合には（ステップＳ３３のＮＯ）、印刷ジョブを生成する（ステップＳ３５）。印刷制御部５０は、生成された印刷ジョブを印刷装置１に対して送信する（ステップＳ３６）。これにより、印刷装置１で印刷処理が実行される。
【０１２３】
次に、図１５を参照しつつ印刷ジョブ保留処理について説明する。表示制御部４９は、この処理が開始されると、ジョブ管理部４７からの指示に従って案内画面３５を作成して表示部７に表示させる（ステップＳ４１）。ジョブ管理部４７は、指示解析部４６を介して案内保留ボタン３５ｂが押下されたことを示す決定結果を受け取った場合には（ステップＳ４２のＹＥＳ）、印刷ジョブを生成して予約印刷ジョブ６２として記憶装置５９に記憶させる（ステップＳ４４）。一方、ジョブ管理部４７は、指示解析部４６を介して案内実行ボタン３５ａが押下されたことを示す決定結果を受け取った場合には（ステップＳ４３のＹＥＳ）、印刷ジョブを生成する（ステップＳ５５）。そして、制御部５５は、図１４のステップＳ３６に進む。
【０１２４】
次に、通電状態確認部４８は、定期的に印刷装置１の通電状態を確認する（ステップＳ４５）。表示制御部４９は、通電状態確認部４８によって印刷装置１の通電状態が通常通電状態に復帰したことが確認されると（ステップＳ４６のＹＥＳ）、ジョブ管理部４７からの指示に従って、記憶装置５９に記憶されている予約印刷ジョブ６２を特定する（ステップＳ４７）。そして、表示制御部４９は、選択画面３６を作成して表示部７に表示させる（ステップＳ４８）。
【０１２５】
ジョブ管理部４７は、指示解析部４６を介して予約実行ボタン３６ａが押下されたことを示す決定結果を受け取った場合（ステップＳ４９のＹＥＳ）、印刷制御部５０に対して予約印刷ジョブ６２を実行すべき指示を送信する。印刷制御部５０は、ジョブ管理部４７からの指示に従って予約印刷ジョブ６２を記憶装置５９から読出して（ステップＳ５４）、読出した予約印刷ジョブ６２を印刷装置１に送信する（図１４のステップＳ３６）。
【０１２６】
一方、予約実行ボタンが押下されない状態において（ステップＳ４９のＮＯ）、表示制御部４９は、（ａ）予約保留ボタン３６ｂが押下された場合、（ｂ）設定時間が到来した場合のうち何れかの条件を満たすと（ステップＳ５０のＹＥＳ）、選択画面３６の表示を終了する（ステップＳ５１）。そして、制御部１０は、一旦、通電状態がスリープ状態に移行した後に、再び、通電状態確認部４８によってスリープ状態から通常通電状態に復帰したことが確認されるまで待機する（ステップＳ４５まで戻る）。
【０１２７】
また、表示制御部４９は、通電状態確認部４８によって通電状態がスリープ状態に移行したことが確認されると（ステップＳ５２のＹＥＳ）、選択画面３６の表示を終了する（ステップＳ５３）。この場合も、上記と同様に、制御部１０は、一旦、通電状態がスリープ状態に移行した後に、再び、通電状態確認部４８によってスリープ状態から通常通電状態に復帰したことが確認されるまで待機する（ステップＳ４５まで戻る）。以上のようにして印刷ジョブ保留処理は終了する。
【０１２８】
以上のように、本実施形態では、ユーザ端末６は、ジョブ管理部４７によって、予約印刷ジョブ６２が記憶装置５９に記憶される。そして、表示制御部４９は、所定のタイミングで表示部７に選択画面３６に表示させる。印刷制御部５０は、選択画面３６に表示される予約実行ボタン３６ａが押下されることで、記憶装置５９から予約印刷ジョブ６２を読み出して実行する構成である。
【０１２９】
このような構成によれば、ユーザ端末６の表示部７には、選択画面３６が表示されるので、ユーザは、自己が発行した予約印刷ジョブ６２を実行するか否かを選択可能である。すなわち、予約印刷ジョブ６２を発行したユーザは、自己の意志を反映させたタイミングで予約印刷ジョブ６２を実行させることが可能である。その結果、予約印刷ジョブ６２を発行したユーザは、そのタイミングに合わせて印刷物を回収することができる。
【０１３０】
また、本実施形態では、表示制御部４９は、通電状態確認部４８によって印刷装置１の通電状態がスリープ状態から通常通電状態に復帰したことが確認された場合に選択画面３６を作成するように構成される。
【０１３１】
このような構成によれば、印刷装置１の通電状態が通常通電状態であるときに予約印刷ジョブ６２を実行させることが可能である。これにより、ユーザ端末６は、まとめ印刷の本来の目的である、印刷装置１の通電状態がスリープ状態のときには予約印刷ジョブ６２を実行させない一方で、通常通電状態のときにのみ予約印刷ジョブ６２を実行させることが可能になる。
【０１３２】
更に、本実施形態では、選択画面３６に表示された予約実行ボタン３６ａへの押下が、予め設定された所定時間内に行なわれない場合には、表示制御部４９によって選択画面３６の表示が終了される構成である。これにより、例えば、ユーザが席を外しているときなど、ユーザが印刷物を回収できない可能性がある場合には、タイムアウトにより予約印刷ジョブ６２を実行させないことが可能である。その結果、ユーザ端末６は、印刷物が長時間放置されてしまうことや、それに起因して第三者に秘密文書を読まれてしまうことを防止できる。
【０１３３】
また、本実施形態では、選択画面３６がユーザ端末６に表示されている間に、印刷装置１の通電状態が通常通電状態からスリープ状態に移行したことが通電状態確認部４８によって確認された場合には、表示制御部４９は、選択画面３６の表示を終了するようになっている。このような構成によれば、印刷装置１の通電状態がスリープ状態のときに予約実行ボタン３６ａを押下させないことが可能になるので、印刷装置１にスリープ状態を維持させることができる。従って、ユーザ端末６は、印刷装置がスリープ状態から待機状態に復帰させるときに伴う消費電力を節約させることができる。
【０１３４】
以上、本発明に関する実施形態について説明したが、本発明は上述した内容に限られるものではなく、種々の変形例が適用可能である。
【０１３５】
例えば、上述した第１の実施形態では、予約印刷ジョブ２０を実行させるタイミングは、印刷装置１がスリープ状態から通常通電状態に復帰したときの場合を例示したがこれに限られない。例えば、ユーザの予定が変更となり、予約印刷ジョブ２０を即時に印刷する必要が生じる場合もある。このような場合に備えて制御部１０は、予約印刷ジョブ２０を強制的に実行させるための強制実行ボタンを作成してユーザ端末６に表示させても良い。制御部１０は、そのような強制実行ボタンをユーザ端末６に表示させるために以下のように処理を実行する。
【０１３６】
すなわち、ジョブ管理部２６は、予約印刷ジョブ２０を記憶装置１７に記憶させると、その予約印刷ジョブ２０に関するジョブ関連情報を表示制御部３０に通知する。表示制御部３０は、そのジョブ関連情報を受付けると強制実行ボタンを作成して常にユーザ端末６に表示させる。例えば、強制実行ボタンは、いわゆるアイコンであっても良く、そのアイコンをユーザ端末６に表示されるツールバーなどに埋め込んでおいても良い。
【０１３７】
強制実行ボタンが押下されると、ジョブ管理部２６は、その強制実行ボタンを押下したユーザを特定する。そして、ジョブ管理部２６は、通電状態検知部２８による検知結果に関わらず、印刷制御部２９に対して予約印刷ジョブ２０を実行するように指示を送信する。印刷制御部２９は、ジョブ管理部２６による指示に従って、特定されたユーザが発行元となる予約印刷ジョブ２０を記憶装置１７から読出して、その予約印刷ジョブ２０を印刷処理部１４に送信して実行させる。
【符号の説明】
【０１３８】
１  印刷装置
６  ユーザ端末（情報処理装置）
７  表示部（表示手段）
８  操作入力部（操作入力手段）
１７  記憶装置（記憶手段）
２５  受付部（受付手段）
２６  ジョブ管理部（ジョブ管理手段）
２８  通電状態検知部（通電状態検知手段）
２９  印刷制御部（印刷制御手段）
３０  表示制御部（表示制御手段）
３６  選択画面
４８  通電状態確認部（通電状態確認手段）
４９  表示制御部（表示制御手段）
５０  印刷制御部（印刷制御手段）
５１  ジョブ生成部（ジョブ生成手段）
５９  記憶装置（記憶手段）
【図１】
2012190376.tif 000003
【図２】
2012190376.tif 000004
【図３】
2012190376.tif 000005
【図４】
2012190376.tif 000006
【図５】
2012190376.tif 000007
【図６】
2012190376.tif 000008
【図７】
2012190376.tif 000009
【図８】
2012190376.tif 000010
【図９】
2012190376.tif 000011
【図１０】
2012190376.tif 000012
【図１１】
2012190376.tif 000013
【図１２】
2012190376.tif 000014
【図１３】
2012190376.tif 000015
【図１４】
2012190376.tif 000016
【図１５】
2012190376.tif 000017